(57)【要約】【課題】所望の高調波減衰量を得ると共に、挿入損失特性を劣化させることのない小型のアンテナスイッチを提供すること。【解決手段】送信回路、受信回路及びアンテナとの間に接続され、前記送信回路と前記アンテナとの接続、および前記受信回路と前記アンテナとの接続を切り換えるためのアンテナスイッチであって、当該アンテナスイッチは前記送信回路からアンテナへの信号経路にローパスフィルタを有し、前記ローパスフィルタは、その一部である第１のインダクタと第１のコンデンサからなる直列共振回路により第１の減衰極を形成し、さらに前記第１のインダクタと第２のコンデンサを直列接続したものと、第２のインダクタとの並列共振回路により第２の減衰極を形成するアンテナスイッチ。【選択図】      図１
2004241875.tif 000002
【特許請求の範囲】
【請求項１】
送信回路、受信回路及びアンテナとの間に接続され、前記送信回路と前記アンテナとの接続、および前記受信回路と前記アンテナとの接続を切り換えるためのアンテナスイッチであって、当該アンテナスイッチは前記送信回路からアンテナへの信号経路にローパスフィルタを有し、
前記ローパスフィルタは、その一部である第１のインダクタと第１のコンデンサからなる直列共振回路により第１の減衰極を形成し、さらに前記第１のインダクタと第２のコンデンサを直列接続したものと、第２のインダクタとの並列共振回路により第２の減衰極を形成することを特徴とするアンテナスイッチ。
【請求項２】
前記アンテナスイッチは、複数の誘電体層からなる積層体からなり、前記第１のインダクタ及び／又は第２のインダクタは誘電体層からなる積層体内に電極パターンで形成された分布定数線路であることを特徴とする請求項１に記載のアンテナスイッチ。
【請求項３】
前記送信回路からアンテナへの信号経路にローパスフィルタを備え、当該ローパスフィルタは前記共振回路が含まれるπ型フィルタであることを特徴とする請求項１又は２に記載のアンテナスイッチ。
【請求項４】
前記ローパスフィルタを構成するインダクタは誘電体層からなる積層体に形成される分布定数線路であり、前記直列共振回路と並列共振回路の分布定数線路の一部が共通な分布定数線路であることを特徴とする請求項１乃至３のいずれかに記載のアンテナスイッチ。
【発明の詳細な説明】
【０００１】
【発明の属する技術分野】
本発明は、ディジタル携帯電話などの高周波回路において、信号の伝送経路を切り換えるための高周波スイッチ回路に適用されるダイオードスイッチに関するものである。
【０００２】
【従来の技術】
アンテナスイッチは、携帯電話において送信回路ＴＸとアンテナＡＮＴとの接続および受信回路ＲＸとアンテナＡＮＴとの接続を切り替えるために使用される。その一例として、図１０に特許文献１に開示されたアンテナスイッチの等価回路図を示す。このアンテナスイッチは、送信回路側にアノードが接続され、アンテナ側にカソードが接続されるダイオードＤ２０１、前記ダイオードのアノードに接続される伝送線路Ｌ２０１、前記アンテナＡＮＴと受信回路ＲＸとの間に接続される伝送線路Ｌ２０２、および前記受信回路側にアノードが接続され、アース側にカソードが接続されるダイオードＤ２０２を含み、前記ダイオードＤ２０１と送信回路ＴＸとの間にローパスフィルタ回路ＬＰＦを接続したものである。
【０００３】
また、図１１に特許文献２に開示されたアンテナスイッチの等価回路図を示す。このアンテナスイッチは、送信回路側にカソードが接続され、アンテナ側にアノードが接続されているダイオードＤ３０１、前記ダイオードのカソードに接続される伝送線路Ｌ３０１、前記アンテナＡＮＴと受信回路ＲＸとの間に接続される伝送線路Ｌ３０２、及び前記受信回路側にカソードが接続され、アース側にアノードが接続されるダイオードＤ３０２を含み、前記ダイオードＤ３０１と送信回路ＴＸとの間にローパスフィルタ回路ＬＰＦを接続したものである。
ここで前記ローパスフィルタ回路は、アンテナから放射される送信信号の２倍波や３倍波のスプリアス（高調波）成分を減衰するように構成し、他の携帯電話との不要な干渉を防ぐのが一般である。
【０００４】
近年、アンテナスイッチは、送信回路とアンテナとの接続、又は受信回路とアンテナとの接続を切り換えるアンテナスイッチ単機能部品として使用される事は少なく、分波回路、複数のスイッチ回路を複合化しＤＡＭＰＳ（ＤｉｇｉｔａｌＡｄｖａｎｃｅｄ  Ｍｏｂｉｌｅ  Ｐｈｏｎｅ  Ｓｙｓｔｅｍ）、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ）、ＤＣＳ（Ｄｉｇｉｔａｌ  Ｃｅｌｌｕｌａｒ  Ｓｙｓｔｅｍ）、ＰＣＳ（Ｐｅｒｓｏｎａｌ  Ｃｏｍｍｕｎｉｃａｔｉｏｎｓ  Ｓｅｒｖｉｃｅｓ）等に対応したマルチバンド化、またアンテナスイッチと回路上隣接するＳＡＷフィルタやパワーアンプ、カップラーなどとの一体化等、高機能化、小型化が求められている。それに伴い、アンテナスイッチの高周波回路を構成する伝送線路、積層電極の高密度化、回路構成の高機能化が必要である。また、マルチバンド化等により回路が複雑化することにより、信号の伝送距離が長くなる傾向にあり、よって個々の回路の低損失化が求められている。
以上のことより、上記のおのおのの部品に対する要求が、携帯電話全体のサイズ、通話時間、通信特性に影響し、どの要求も無視できない設計が必要である。
【０００５】
【特許文献１】
特開平８−９７７４３号
【特許文献２】
特開２００２−２４６９４５号
【０００６】
【発明が解決しようとする課題】
図１０で示したアンテナスイッチ回路のＬＰＦはＬ２０４、Ｌ２０５、Ｃ２０７、Ｃ２０８、Ｃ２０９で構成される５段のπ型ＬＰＦであり、積層構造ではＧＮＤ電極と対向するコンデンサ電極が３つ存在することになる。結果、ＬＰＦのコンデンサ電極が占有する面積が大きくなり小型化には不利である。またそれらコンデンサを接続する伝送線路Ｌ２０４、Ｌ２０５が直列に接続されているために送信回路ＴＸからアンテナＡＮＴまでの抵抗損失が増加し、低損失化には不利である。そこで５段のπ型ＬＰＦではなく、Ｌ２０５、Ｃ２０９を省略したπ型３段のＬＰＦとした場合を考えると、Ｌ２０５が省略された分、低損失化には有利であるが、コンデンサＣ２０９が省略された分、高調波減衰量特性は劣化し、要求される特性を満たすことは出来ない。また任意の周波数にコンデンサとインダクタとからなる共振周波数を設定することは出来ず、その共振周波数を利用した減衰極を設定することは出来ない。
【０００７】
次に、図１１で示したアンテナスイッチ回路のＬＰＦはＬ３０３、Ｌ３０４、Ｃ３０５、Ｃ３０６、Ｃ３０７で構成される３段のπ型のＬＰＦを変形したものであり、このＬＰＦの特徴はＬ３０３とＣ３０７で構成される並列共振回路と、Ｌ３０４とＣ３０６で構成される直列共振回路により任意の周波数において、それぞれ減衰極を得ることができる。しかし、減衰極の周波数を調整するためにインダクタである伝送線路の長さ、幅を調整する、またコンデンサである電極の面積を調整することになる。これらの調整は限られた誘電体層の領域の中で電極パターンの配置や大きさを操作することで行われるので、この減衰極周波数の調整の結果、特にインダクタと直列接続されるコンデンサＣ３０６が小さくなる傾向にあった。その結果、任意の周波数の減衰極は得ることはできるが、ＬＰＦ全体としての高周波成分を減衰させる特性が劣化してしまっていた。
【０００８】
そこで本発明の目的は、上記したような２つの減衰極を得ることができるローパスフィルタＬＰＦを備えるものであって、所望の高調波減衰量を得ると共に、挿入損失特性を劣化させることのない省スペースで小型のアンテナスイッチを提供することである。
【０００９】
【課題を解決するための手段】
本発明は、送信回路、受信回路及びアンテナとの間に接続され、前記送信回路と前記アンテナとの接続、および前記受信回路と前記アンテナとの接続を切り換えるためのアンテナスイッチであって、当該アンテナスイッチは前記送信回路からアンテナへの信号経路にローパスフィルタを有し、前記ローパスフィルタは、その一部である第１のインダクタと第１のコンデンサからなる直列共振回路により第１の減衰極を形成し、さらに前記第１のインダクタと第２のコンデンサを直列接続したものと、第２のインダクタとの並列共振回路により第２の減衰極を形成するアンテナスイッチである。
このアンテナスイッチは複数の誘電体層からなる積層体として構成するものであって、前記第１のインダクタ及び／又は第２のインダクタは誘電体層からなる積層体内に電極パターンで形成された分布定数線路とするのが好ましい。
また、前記送信回路からアンテナへの信号経路にローパスフィルタを備え、当該ローパスフィルタは前記共振回路が含まれるπ型フィルタであることが好ましい。
また、そのローパスフィルタを構成するインダクタは誘電体層からなる積層体に形成される分布定数線路であり、前記直列共振回路と並列共振回路の分布定数線路の一部が共通な分布定数線路であることが好ましい。
【００１０】
【発明の実施の形態】
本発明に係る一実施例の等価回路を図１に示し説明するが、本発明は、このアンテナスイッチに限定されるものではない。
このアンテナスイッチは、送信回路ＴＸとアンテナＡＮＴとの間に接続される第１のダイオードＤ１１と、第１のダイオードＤ１１のカソードと送信回路ＴＸ側の間に接続され、他端がグランド側に接続されるインダクタＬ１１と、受信回路ＲＸとアンテナＡＮＴとの間に接続されるインダクタＬ１２と、このインダクタＬ１２の受信回路ＲＸ側にカソードが接続され、他端がアース側に接続される第２のダイオードＤ１２をスイッチ回路の主要素子としている。尚、送信回路ＴＸ、受信回路ＲＸ、アンテナＡＮＴのそれぞれの入出力端には、ＤＣカットコンデンサＣ１１、Ｃ１２、Ｃ１３が接続されている。
【００１１】
そして、図１の破線内に示すように第１のダイオードＤ１１と他端がアース側に接続されるインダクタＬ１１との間にインダクタＬ１、Ｌ２、コンデンサＣ１、Ｃ２、Ｃ３から構成されるローパスフィルタＬＰＦが挿入されている。このローパスフィルタＬＰＦは、送信回路ＴＸ側より、送信回路ＴＸとグランド間に第３のコンデンサＣ３が接続され、送信回路ＴＸと第１のダイオードＤ１１のカソードとの間に、第２のインダクタＬ２が接続され、また第２のコンデンサＣ２と第１のインダクタＬ１が直列接続されたものも接続される。他方、第１のダイオードＤ１１のカソードとグランドとの間に第１のインダクタＬ１と第１のコンデンサＣ１が直列に接続されている。
これらによって第１のインダクタＬ１と第１のコンデンサＣ１からなる直列共振回路による第１の減衰極を形成し、さらに前記第１のインダクタＬ１と第２のコンデンサＣ２を直列接続したものと第２のインダクタＬ２との並列共振回路による第２の減衰極を形成するアンテナスイッチを構成している。
前記第１の減衰極と第２の減衰極は、任意に減衰周波数を可変させることができ、前記第１の減衰極で例えば送信周波数の２倍の周波数に減衰極を設け、第２の減衰極で送信周波数の３倍の周波数を減衰させても良いし、またその逆となる様に構成することも可能である。さらにまた、例えば第１の減衰極で任意の無線通信システムの周波数に対して減衰極を設定し、第２の減衰極で携帯電話の送信信号の高調波を減衰させることも可能である。
【００１２】
また、図１の等価回路では、第２のダイオードＤ１２のアノードに、抵抗Ｒ１を介してコントロール回路ＶＣ１を接続する様に構成している。これを図２のようにインダクタＬ１１とアースの間にコンデンサＣ１５を接続し、その伝送線路Ｌ１１とコンデンサＣ１５の接続点より、抵抗Ｒ２を接続してコントロール回路ＶＣ２を接続した構成としても良い。図１の回路構成ではＶＣ１より順方向のバイアス電圧しかダイオードＤ１１、Ｄ１２に印加できないが、図２の回路構成の場合、逆方向のバイアス電圧を印加することができ、ダイオードＤ１１、Ｄ１２のアイソレーションを高めることが可能である。
【００１３】
図１に示したスイッチ回路を構成するインダクタＬ１１、Ｌ１２を伝送線路で形成し、またコンデンサＣ１、Ｃ２、Ｃ３、Ｃ１３、Ｃ１４電極パターンにより形成し、これらを誘電体層の積層体内に内蔵し、またダイオードや抵抗等のチップ素子を積層体上に配置することにより、アンテナスイッチを一つの積層体内に構成することができる。この積層体上に配置するチップ素子は、積層体内に形成する回路素子との関係で適宜設定することができる。
また、前記ローパスフィルタを構成する第１のインダクタＬ１、第２のインダクタＬ２を伝送線路として積層体内に構成し、直列共振回路の伝送線路Ｌ１と並列共振回路の伝送線路Ｌ２を互いに積層体内で接続して、積層体の積層方向に対して積み重なるように配置すれば伝送線路間に相互インダクタンスが発生し、そのインダクタンス増加分により、互いの伝送線路の線路長を短くでき、アンテナスイッチを小型にすることができる。
【００１４】
そして、前記ローパスフィルタの直列共振回路を構成する第１のコンデンサＣ１は、図１１の直列共振回路を構成するコンデンサＣ３０６と比較して、同じ共振周波数で設計したとしても、大きく設計することができる。第１のコンデンサＣ１と直列に接続される第１インダクタＬ１は第２のインダクタＬ２と接続されており、等価回路上では分割されているが、積層体内では連続した伝送線路になっている。よって共振回路として作用する伝送線路は本発明の場合短くすることができ、結果として第１のコンデンサＣ１を大きくすることができる。結果、高周波を接地電位に通過させる経路のインピーダンスを下げることができ、高周波領域で減衰量を得るＬＰＦの特性を改善させることができる。
【００１５】
【実施例】
本発明は、スイッチ回路とローパスフィルタ回路とを一つの部品とし、しかも積層構造で構成することにより、小型のアンテナスイッチを構成している。このアンテナスイッチを用いて小型のモジュール部品を構成することも出来る。例えば分波器回路を組み合わせてマルチバンドに対応することや、さらにＳＡＷフィルタ、カップラー、パワーアンプ等を一つの積層体内にモジュール化して高機能化することも出来る。
以下に本発明の一実施例を詳細に説明する。
図５は、図１に等価回路として示したアンテナスイッチを積層体に構成したときの分解斜視図である。また図６はその斜視図である。この実施例は、図が複雑になるのを避けるため、従来のマルチバンドのアンテナスイッチモジュールの構造から１つのアンテナスイッチ部分のみを抜き出して説明している。従って、図６に示すように誘電体層を含む積層体１に、２個のダイオード２、３と、コンデンサ４、５及び抵抗６によって構成されており、それぞれの部品は、図１における２個のダイオードＤ１１、Ｄ１２、コンデンサＣ１１、Ｃ１２、抵抗Ｒ１に対応する。
【００１６】
図５において積層体１は、誘電体層１１に第１のアース電極６１と裏面電極２３〜２９が形成されている。裏面電極２９は端子ＶＣ１、裏面電極２８はＡＮＴ端子である。
誘電体層１２、１３、１４、１５の上には伝送線路が電極パターンにより形成されている。等価回路における伝送線路Ｌ１１はライン電極３０、３２、３５、３６によって構成されており、それらはスルーホール電極により接続され、上面電極５６とアース電極６１を接続している。等価回路における伝送線路Ｌ１２はライン電極３３、３４により構成されており、それらはスルーホール電極によって接続され、上面電極５８と５２を接続している。
【００１７】
その上の誘電体層１６には第２のアース電極４５が形成されており、第１のアース電極６１とはスルーホール電極で接続されている。コンデンサ電極４４は、誘電体層１７のコンデンサ電極４６と対向して、等価回路におけるコンデンサＣ１３を形成している。またコンデンサ電極４６はスルーホール電極によりＡＮＴ端子である裏面電極２８と接続されている。
その上の誘電体層１７には、第２のアース電極４５と対向して等価回路におけるコンデンサＣ１４、Ｃ３、Ｃ１を形成するコンデンサ電極４９、４８、４７が形成されている。
その上の誘電体層１８には、コンデンサ電極４７、４８と対向するようにコンデンサ電極５１が形成され、等価回路のコンデンサＣ２を構成している。また第３のアース電極５０が形成され、コンデンサ電極４９と対向するように配置されており、等価回路上におけるコンデンサＣ１４の容量の一部になる。第３のアース電極５０はスルーホール電極により第１、第２のアース電極と接続されている。
【００１８】
その上の誘電体層１９、２０、２１には、それぞれ伝送線路が形成されている。等価回路における伝送線路Ｌ２は４１、４３で構成されており、それらはスルーホール電極により接続され、上面電極５６と５５を接続している。等価回路における伝送線路Ｌ１は３７、４０で構成されており、スルーホール電極により接続され、コンデンサ電極４７と伝送線路４１、上面電極５５を接続している。
また誘電体層１９の上の伝送線路３８と誘電体層１２の上の伝送線路３１はスルーホール電極により接続され、上面電極５９と裏面電極２９とを接続している。誘電体層２０の上の伝送線路３９は上面電極５８とコンデンサ電極４４を接続している。誘電体層２１の上の伝送線路４２は上面電極５３とコンデンサ電極４９を接続している。
【００１９】
また誘電体層２２の上には、ダイオード、コンデンサ、抵抗などの搭載部品を接続するための上面電極５２〜６０が形成される。上面電極５６、５７間には等価回路上のコンデンサＣ１１が接続される。上面電極５５にはダイオードＤ１１のカソードが、上面電極５８にはダイオードＤ１１のアノードが接続される。上面電極５３にはダイオードＤ１２のアノードが、上面電極５２にはダイオードＤ１２のカソードが接続される。上面電極５３、５９間には抵抗Ｒ１が接続されている。上面電極５２、６０間にはコンデンサＣ１２が接続されている。上面電極５４と５５との間、上面電極５４と５８との間に適当なコンデンサ、インダクタを搭載することによりダイオードＤ１１と並列に、上記コンデンサとインダクタの直列回路を接続することができ、ダイオードＤ１１がＯＦＦ時の時、ＡＮＴ−ＴＸ間のアイソレーションを高めることができる。上記コンデンサ、インダクタは必要に応じて搭載する事ができる。
【００２０】
この積層体は、誘電率が約８の誘電体材料を用い、ドクターブレードでシート形成し、このシート上にＡｇ電極をスクリーン印刷でパターン電極を形成し、これを積層して、圧着し、一体で焼成したものである。
【００２１】
ここで、図７に図１１で示した等価回路で構成されたアンテナスイッチの積層分解斜視図を示す。図１１のＣ３０６に相当するコンデンサ電極は図７の電極パターン１３２となる。またインダクタＬ３０３に相当する伝送線路は１３８、１４１となり、インダクタＬ３０４に相当する伝送線路は１３７、１４０、１４３となる。一方、本発明の図１の等価回路で構成されたコンデンサＣ１に相当するコンデンサ電極は図５の電極パターン４７である。両者を比較すると、本発明の構成によるコンデンサ電極４７の方がアース電極に対して面積を大きくすることができている。この理由として、図１１のインダクタＬ３０３とＬ３０４は、誘電体層上の伝送線路では１３８、１４１と１３７、１４０、１４３であり、回路上スルーホールで両者は接続されているものの、高周波的に見れば独立した伝送線路となり、図５で対応する伝送線路４１、４３と３７、４０の関係のように連続した伝送線路には見えなくなる。よって図１１のインダクタＬ３０４に相当する図７の伝送線路１３７、１４０、１４３は図５の伝送線路３７、４０と比較して長くなり、伝送線路１３７、１４０、１４３と直列共振回路を構成するコンデンサ電極１３２は小さく構成することになる。
それに対し、図５で対応する伝送線路４１、４３と３７、４０は、誘電体層２０上で伝送線路４０と４１が接続しており、高周波的に見ても連続した伝送線路として見ることができ、等価回路でのＬ１、Ｌ２が、一部共通の伝送線路を共用している。本発明では、直列共振回路として作用する伝送線路は短くなり、結果として直列接続されるコンデンサ電極４７は大きく構成することができる。
【００２２】
図８に本発明（等価回路では図１）と従来例（等価回路では図１１）のアンテナスイッチの入力端子ＴＸ−アンテナＡＮＴ間の挿入損失特性を示す。図において実線が本発明、点線が従来例を示している。ここで両者の間には３５００ＭＨｚ付近と５５００ＭＨｚ付近の減衰極の移動を最小にしつつ、２５００〜６０００ＭＨｚの高周波領域において、最大５ｄＢ程度の減衰量の改善が見られる。接地されるコンデンサ電極を大きくした結果、従来例と比較して、本発明の方が高調波帯域での減衰量が大きくなっていることが分かる。このことは本発明の回路構成となし、積層体内に設けるコンデンサを大きくできたことによるものであり、そのインピーダンスが低下し高周波成分が接地電極へ通過し易くなったことが原因と考えられる。
【００２３】
また本発明（等価回路では図１、積層分解斜視図では図５）と従来例（等価回路では図１１、積層分解斜視図では図７）を比較すると、図１の第１のインダクタＬ１と第２のコンデンサＣ２（図５では３７、４０と５１に相当）は、図１１の対応するインダクタＬ３０４、コンデンサＣ３０７（図７では１３７、１４０、１４３と１３４に相当）と比較して小さい。特に図１のコンデンサＣ２は図５でのコンデンサ電極４８と５１からなる静電容量とコンデンサ電極４７と５１からなる静電容量の直列接続になるので静電容量は小さくなる。図１からインダクタＬ１とコンデンサＣ２の影響が小さくなると、等価回路的にはコンデンサＣ１、Ｃ３とインダクタＬ２からなるπ型のローパスフィルタとなる。このようなことからも高周波領域で減衰量が得られたことの原因が推測される。そのインダクタＬ１の伝送線路としての長さとしては、インダクタＬ２のそれの１／２以下が望ましい。
【００２４】
また、図５において第１のアース電極６１と第２のアース電極４５との間に、ライン電極３０、３２、３５、３６で構成される第１の伝送線路Ｌ１１と、ライン電極３３、３４で構成される第２の伝送線路Ｌ１２を配置している。またローパスフィルタを構成するコンデンサＣ３、Ｃ１、Ｃ２、インダクタＬ２、Ｌ１が第２のアース電極４５よりも、実装面に対して上側に配置されている。このことによりアンテナスイッチ回路の伝送線路と、ローパスフィルタ回路との間にアース電極を配置させていることになり、不要な干渉を防止している。
【００２５】
さて、この実施例によるローパスフィルタＬＰＦは、第１のインダクタＬ１と第１のコンデンサＣ１とからなる直列共振回路と、第１のインダクタＬ１と第２のコンデンサＣ２を直列接続したものと第２のインダクタＬ２との並列共振回路を備え、これらの共振回路で２つの減衰極を持たせるように構成している。これらの共振回路と第３のコンデンサＣ３とからなるローパスフィルタを、スイッチ回路における第１のダイオードＤ１１のカソードとインダクタＬ１１との間に設けている。
他のローパスフィルタの構成としては、図３のようにコンデンサＣ３とインダクタＬ３とで直列共振回路を構成してもよいし、図４のようにさらにインダクタを追加して、インダクタＬ３とコンデンサＣ３の直列接続、インダクタＬ１とコンデンサＣ１の直列接続による２つの直列共振回路を構成してもよい。図３の場合はインダクタＬ３とコンデンサＣ２の直列接続とインダクタＬ２による並列共振回路、インダクタＬ３とコンデンサＣ３による直列共振回路により、図１の回路と同様な効果を得ることができる。また図４の場合は、インダクタＬ１、コンデンサＣ２、インダクタＬ３の直列接続とインダクタＬ２による並列共振回路、インダクタＬ１とコンデンサＣ１による直列共振回路、インダクタＬ３とコンデンサＣ３による直列共振回路、以上３つの共振回路を作製することができる。
【００２６】
上記した実施例にあるローパスフィルタ回路を内蔵したスイッチ回路を用いて、複数の送受信系を取り扱う高周波スイッチモジュールを構成することも可能である。その一例として２つの送受信系を取り扱う場合のブロック図を図９に示す。アンテナＡＮＴに接続される分波回路は、第１の送受信系、第２の送受信系に分波し、分波された第１の送受信系に第１のスイッチ回路を有し、第２の送受信系に第２のスイッチ回路を有する。第１または第２のスイッチ回路は送信ＴＸと受信ＲＸを切り替え、その送信系にローパスフィルタ回路を設ける。そして第１または第２のスイッチ回路、またはその両方に上記実施例のアンテナスイッチを使用することが可能である。
【００２７】
【発明の効果】
本発明によれば、２つの減衰極を得ることができると共に、このとき挿入損失特性を劣化させることなく高調波の減衰量が高くとれる。よって、複数の無線システムにおいて不要な干渉を防ぎ、挿入損失特性を劣化させることのない小型のアンテナスイッチを提供することができる。また、減衰極を複数、任意に設定することが可能であり、それに起因する回路の複雑化、挿入損失の増加を避けることができる。
【図面の簡単な説明】
【図１】本発明に係るアンテナスイッチの第１の実施例の等価回路図である。
【図２】本発明に係るアンテナスイッチの他の実施例の等価回路図である。
【図３】本発明に係る他の実施例におけるローパスフィルタの等価回路図である。
【図４】本発明に係る他の実施例におけるローパスフィルタの等価回路図である。
【図５】本発明に係る第１の実施例の積層体の分解斜視図である。
【図６】本発明に係る図５の積層体の斜視図である。
【図７】従来（図１１）のアンテナスイッチの積層体の分解斜視図である。
【図８】本発明に係る実施例と従来の送信回路−アンテナ間の挿入損失の周波数特性図である。
【図９】本発明に係るアンテナスイッチを用いた高周波スイッチモジュールの一実施例のブロック図である。
【図１０】従来のアンテナスイッチの等価回路図である。
【図１１】従来の他のアンテナスイッチの等価回路図である。
【符号の説明】
Ｌ１：第１のインダクタ
Ｌ２：第２のインダクタ
Ｃ１：第１のコンデンサ
Ｃ２：第２のコンデンサ
Ｃ３：第３のコンデンサ
Ｄ１１：第１のダイオード
Ｄ１２：第２のダイオード
Ｃ１１、Ｃ１２、Ｃ１３：ＤＣカットコンデンサ
ＬＰＦ：ローパスフィルタ
１：積層体
２、３：半導体素子
４，５：コンデンサ
６：抵抗
１１、１２、１３、１４、１５、１６：誘電体層
１７、１８、１９、２０、２１、２２：誘電体層
６１：第１のアース電極
４５：第２のアース電極
５０：第３のアース電極
４４、４６、４７、４８、４９、５１：コンデンサ用電極
３０、３１、３２、３３、３４、３５：ライン電極
３６、３７、３８、３９、４０、４１：ライン電極
４２、４３：ライン電極
２３、２４、２５、２６、２７、２８、２９：裏面電極
５２、５３、５４、５５、５６、５７、５８、５９、６０：上面電極
【図１】
2004241875.tif 000003
【図２】
2004241875.tif 000004
【図３】
2004241875.tif 000005
【図４】
2004241875.tif 000006
【図５】
2004241875.tif 000007
【図６】
2004241875.tif 000008
【図７】
2004241875.tif 000009
【図８】
2004241875.tif 000010
【図９】
2004241875.tif 000011
【図１０】
2004241875.tif 000012
【図１１】
2004241875.tif 000013